(57)【要約】【課題】安価な構成で小入力電源回路の高調波電流を抑制しつつ、抵抗器にて消費されるロスを極力軽減すること。【解決手段】室外機側に前記室内機の入力電流を検出する負荷電流検出手段９とこの負荷電流検出手段９と直列に抵抗器６とこの抵抗器６と並列に開閉手段７を備え、前記室内機側に整流回路２にて整流した後、平滑コンデンサ３にて平滑して負荷側５へ出力するコンデンサインプット型の電源回路を備え、前記負荷電流検出手段９にて検出された負荷電流値が所定値（ｔ１）以上になると前記開閉手段７を開状態とすることで、抵抗器６と平滑コンデンサ３の時定数により入力電流の通流期間を増幅させて力率を改善し高調波電流を抑制し、またこの開閉手段７が閉状態時には抵抗器６にて発生する無効電力を軽減させることが出来る。【選択図】図１
2007244020.tif 000002
【特許請求の範囲】
【請求項１】
複数の室内機と室外機から構成されるマルチ式の空気調和機において、前記室外機側に前記室内機の入力電流を検出する負荷電流検出手段とこの負荷電流検出手段と直列に抵抗器とこの抵抗器と並列に開閉手段と、前記室内機側に整流回路にて整流した後、平滑コンデンサにて平滑して負荷側へ出力するコンデンサインプット型の電源回路を備え、前記負荷電流検出手段にて検出された負荷電流値が所定値以上になると前記開閉手段を開状態として高調波電流を低減させることを特徴とする空気調和機の制御装置。
【請求項２】
負荷電流検出手段はカレントトランスフォーマーから構成されることを特徴する請求項１に記載の空気調和機の制御装置。
【発明の詳細な説明】
【技術分野】
【０００１】
本発明は交流電源からの入力電流をダイオードブリッジ等の整流回路で整流した後、平滑コンデンサで平滑して、ＤＣ−ＤＣコンバーターやインバーターなどの負荷側へ出力する、いわゆるコンデンサインプット型の電源回路を有する空気調和機の制御装置に関するものである。
【背景技術】
【０００２】
従来の発明は図４に示すように、交流電源１からの入力電流を抵抗器６を通じて整流回路２で整流した後、平滑コンデンサ３にて平滑して負荷側５へ出力する。抵抗器６と並列に開閉手段７と開閉手段７を駆動させる駆動手段８と負荷電流を検出する負荷電流検出手段９を備え、負荷電流検出手段９にて検出された負荷電流が所定値以上になると開閉手段７を開状態にすることで、所定値以下での抵抗器６にて消費される無効電力を軽減しつつ、抵抗器６と平滑コンデンサ３の時定数により入力電流の通流期間を増幅させ、力率を改善し高調波電流を抑制することが出来る。
【特許文献１】特開２００５−２０４３７８号公報
【発明の開示】
【発明が解決しようとする課題】
【０００３】
しかしながら、上述のような制御装置では、複数の小入力電源回路を有するマルチ式の空気調和機などの場合は、それぞれの電源回路に負荷電流検出手段、開閉手段、抵抗器が必要となり部品面積の拡大やコストアップにつながる。
【０００４】
本発明は前記従来の課題を解決するもので、さらに簡素な構成を安価で実現し、高調波電流を抑制し、かつ抵抗器にて消費される無効電力を極力軽減する空気調和機の制御装置を提供することを目的とする。
【課題を解決するための手段】
【０００５】
前記従来の課題を解決する為に本発明の空気調和機の制御装置は、複数の室内機と室外機から構成されるマルチ式の空気調和機において、前記室外機側に前記室内機の入力電流を検出する負荷電流検出手段とこの負荷電流検出手段と直列に抵抗器とこの抵抗器と並列に開閉手段を備え、前記室内機側に整流回路にて整流した後、平滑コンデンサにて平滑して負荷側へ出力するコンデンサインプット型の電源回路を備え、前記負荷電流検出手段にて検出された負荷電流値が所定値以上になると前記開閉手段を開状態とすることを特徴とする構成としたものである。
【発明の効果】
【０００６】
本発明の制御装置は負荷電流の検出を室外機側の一箇所で検出し、さらに抵抗器、開閉手段を室外機側に集約することでさらに安価な構成で高調波電流を抑制しつつ、抵抗器にて消費されるロスを極力軽減することが出来る。
【発明を実施するための最良の形態】
【０００７】
第１の発明は、複数の室内機と室外機から構成されるマルチ式の空気調和機において、前記室外機側に前記室内機の入力電流を検出する負荷電流検出手段とこの負荷電流検出手段と直列に抵抗器とこの抵抗器と並列に開閉手段を備え、前記室内機側に整流回路にて整流した後、平滑コンデンサにて平滑して負荷側へ出力するコンデンサインプット型の電源回路を備え、前記負荷電流検出手段にて検出された負荷電流値が所定値以下の時は開閉手段が閉状態で、開閉手段が開状態時に抵抗器にて発生する無効電力を削減し、また負荷電
流値が所定値以上になると前記開閉手段を開状態とすることで、抵抗器と平滑コンデンサの時定数により入力電流の通流期間を増幅させて力率を改善し高調波電流を抑制することが出来る。
【０００８】
第２の発明は、負荷電流値を正確に検出するものとしてカレントトランスフォーマーを用いる。
【０００９】
以下、本発明の実施の形態について、図面を参照しながら説明する。なお、この実施の形態によって本発明が限定されるものではない。
【００１０】
（実施の形態１）
図１は本発明の第１の実施の形態における制御装置の構成を示す回路図である。図１において図４と同じ構成要素については、同じ符号を用い、説明を省略する。商用交流電源１からの交流電流は、室外機側に設けられた負荷電流検出手段９を通じ、抵抗器６を通じて室内機側のダイオードブリッジからなる整流回路２、２´において全波整流された後、平滑コンデンサ３、３´で平滑化されて負荷５、５´側へ供給される。また室外機側には抵抗器６と並列に開閉手段７を備え、開閉手段７を駆動させる駆動手段８を備えている。以上のように構成された制御装置について、以下その動作、作用を説明する。
【００１１】
本発明は負荷電流検出手段９にて検出された負荷電流が所定値（ｔ１）以上になると駆動手段８から制御信号を出し開閉手段７を開状態とすることで抵抗器６と平滑コンデンサ３、３´の時定数により入力電流の通流期間を増加させて力率を改善し高調波電流を抑制することが出来る。
【００１２】
例えば、本発明の電源回路図１の交流電源１の電源電圧を２３０Ｖ、平滑コンデンサ３、３´の静電容量を６８μＦ、抵抗器６の抵抗値を１Ω（開閉手段７側）、１５Ω（抵抗器６側）とした時、実験的な値から第９次高調波電流は図３のようなグラフになる。第９次高調波は実験的な値から、７〜８Ａ付近までをピークとして比例に近いカーブを描いて高調波電流が増幅する傾向があり、規格値にたいして最もマージンが少なくなる。
【００１３】
図３から負荷電流が所定値（ｔ１）以上になった時、開閉手段７を開状態とし、抵抗器６側（１５Ω）へ電流を通すことで、第９次高調波電流が減少することが分かる。また、図２の所定値（ｔ１）以下の領域では、入力電流が抵抗器６を通じることがない為、抵抗器６にて生じるロスがなく、無効電力の軽減が可能となることが分かる。また負荷電流の検出方法としては、例えば、負荷電流の電流値を正確に２次側の駆動手段８へ伝えるものとしてカレントトランスフォーマーなどを用いる。
【産業上の利用可能性】
【００１４】
以上のように本発明にかかる制御装置は高調波電流を抑制しつつ、抵抗器にて消費される無効電力の軽減が可能となるので、小入力電流回路の必要な送風機などに適用できる。
【図面の簡単な説明】
【００１５】
【図１】本発明の実施の形態１における電源回路図
【図２】本発明の実施の形態１における無力電力を示すグラフ
【図３】本発明の実施の形態１における負荷電流と抵抗値に対しての第９次高調波電流を示すグラフ
【図４】従来技術における電気回路図
【符号の説明】
【００１６】
１  交流電源
２、２´  整流回路
３、３´  平滑コンデンサ
４、４´  コンバーター
５、５´  負荷
６  抵抗器
７  開閉手段
８  駆動手段
９  負荷電流検出手段
１０  室外制御装置
【図１】
2007244020.tif 000003
【図２】
2007244020.tif 000004
【図３】
2007244020.tif 000005
【図４】
2007244020.tif 000006